(57)【特許請求の範囲】
【請求項１】
弾性ベルト領域と、クロッチ領域と、腰部開口部と、２つの脚部開口部とを有する、長手方向及び横断方向に連続した着用可能物品であって、
前記弾性ベルト領域は、不織布繊維から作られる内側シートと、不織布繊維から作られる外側シートと、前記横断方向に前記弾性ベルト領域を伸長するように構成された複数の弾性体とを含む積層体であり、
前記物品は、本明細書の測定に従って、圧縮仕事指数が少なくとも７０ｇｆｃｍであり、ドレープ性指数が２５％未満であり、伸長周長力が７Ｎ未満であり、
フィット周囲力（Fit Circumference Force）が、本明細書の測定に従って、２Ｎより大きい、着用可能物品。
【請求項２】
前記外側シートが、５００Ｐａで少なくとも０．２５ｍｍの材料厚さを有する、請求項１に記載の物品。
【請求項３】
前記クロッチ領域が、最も衣類に面する側に外側カバー層を含み、前記外側カバー層が、前記外側シートと同じ材料である、請求項１又は２に記載の物品。
【請求項４】
前側ベルトと後側ベルトが環状弾性ベルトを形成し、前記環状弾性ベルトは、前記弾性ベルト領域となり、前記前側ベルトの中心は、中央シャーシの前側腰部パネルに接合され、前記後側ベルトの中心は、前記中央シャーシの後側腰部パネルに接合され、前記中央シャーシの残部が、前記クロッチ領域を形成し、前記前側ベルト及び前記後側ベルトは、それぞれ、左側パネルと右側パネルを有し、この部分で前記中央シャーシは重なり合っておらず、前記内側シートと前記外側シートとの間に挟まれた前記弾性体は全て、互いに実質的に平行に前記横断方向に延びており、
前記前側ベルトのベルト側縁部の全長が、前記後側ベルトの前記ベルト側縁部の特定の長さと継ぎ合わされて、シーム長さＬＳが定められ、
前記前側ベルト及び前記後側ベルトがそれぞれ、前記横断方向に延在すると共に、前記シーム長さＬＳの比率に対して遠位縁部から近位縁部までのその位置によって画定される、４つの区域に分割され、
０〜２５％が腰部区域であり、２５〜５０％が遠位腹部区域であり、５０〜８５％が近位腹部区域であり、８５〜１００％が脚部区域である、請求項１〜３のいずれか一項に記載の物品。
【請求項５】
前側近位腹部区域の引張応力が、他のいずれの区域の引張応力より大きい、請求項４に記載の物品。
【請求項６】
前記前側近位腹部区域上のそれぞれの前記弾性体は、１５０％から２５０％の伸び率で配置される、請求項５に記載の物品。
【請求項７】
前側近位腹部区域に配置されたそれぞれの前記弾性体は、密度が５４０ｄｔｅｘ以上である、請求項４に記載の物品。
【請求項８】
本明細書のベルトシーム形状測定（Belt Seam Shape Measurement）によるｄ値が＋１０ｍｍ以上である、請求項５〜７のいずれか一項に記載の物品。
【請求項９】
前記前側ベルト及び前記後側ベルトが、それぞれ、前記内側シート、前記外側シート、及び外側シート折り返し部を有しており、
前記前側ベルト及び前記後側ベルトは、それぞれ、横断方向に連続した近位縁部及び遠位縁部を有しており、前記外側シート折り返し部は、前記前側ベルト及び前記後側ベルトの前記遠位縁部で前記外側シートを折り畳むことによって形成される前記外側シートの伸長部である、請求項４〜８のいずれか一項に記載の物品。
【請求項１０】
前記前側ベルトが、真っ直ぐな横断方向に延びる近位縁部及び遠位縁部を有し、前記前側ベルトが、長手方向長さＬＦを有し、前記後側ベルトが、真っ直ぐな横断方向に延びる近位縁部及び遠位縁部を有し、前側外側シート折り返し部が、長手方向長さが少なくとも０．３ＬＦである、請求項９に記載の物品。
【請求項１１】
前記中央シャーシが、最も衣類に面する側に外側カバー層と、前記外側カバー層の着用者に面する表面に取り付けられるバックシートとを備え、
前記外側カバー層の長手方向長さが、前記クロッチ領域の長手方向長さより長く、前記バックシートの長手方向長さより短く、前記外側カバー層が存在する前記前側腰部パネル又は前記後側腰部パネル上の領域が、移行領域を形成する、請求項４〜１０のいずれか一項に記載の物品。
【発明の詳細な説明】
【技術分野】
【０００１】
本発明は、特徴的な材料特性と力プロファイルを有する弾性ベルト領域を有する着用可能物品に関する。
【背景技術】
【０００２】
乳幼児、及び失禁症状のあるその他の個人は、尿及び他の身体排出物を受け入れ、収容する吸収性物品（おむつなど）を着用する。プルオン型吸収性物品、すなわちパンツタイプの吸収性物品は、着用者の両脚を脚部開口部に挿入し、物品を下部胴体あたりの位置まで上方に滑らせることによって着用される物品である。パンツタイプの吸収性物品は、歩くことができて多くの場合トイレトレーニング中の幼児用として、もう少し年下の幼児であっても、テープで止めるタイプの吸収性物品をつけさせるのがより困難になりがちな、動きの激しい幼児用、更には、腰部開口部及び脚部開口部の周囲の柔らかいフィット感を必要とする幼い赤ちゃんにも広く普及している。
【０００３】
パンツタイプ物品は、着用者又は介護者が物品を広げ、物品を着用するために着用者の脚を脚部開口部内に挿入するのを容易にするために、腰部開口部の周囲及びその近傍に十分な弾性を有する様々な構造をとることができる。腰部周囲及びその近傍の領域は、多くの場合、弾性ベルトと呼ばれる。パンツタイプ物品の１種の構造は、例えば、国際特許公開第２００６／１７７１８（Ａ）号に記載されるような、着用者のクロッチ領域を覆う本体と、腰部開口部及び脚部開口部を画定する別個の弾性ベルトとを有するベルト型パンツである。別の種類のパンツタイプ物品の構造は、物品の外側カバーが、物品の衣類に面する表面全体を完全に覆う一体型パンツであり、胴体を中心に伸長するように構成される部分は、弾性ベルト領域とされる。
【０００４】
パンツタイプ物品の構造が何であれ、弾性ベルト領域は、使用時に着用者又は介護者によって最も触れられ、観察される部分であり、そのため、その特性は、物品の機能及び品質と最も関係がある。機能として所望され得るものは、物品が装用後に緩むのを防ぐのに十分な力を有しつつ、適用時に容易に伸長する開口部であり、着用時に皮膚が赤くなるのを回避するような柔らかいフィット感である。品質として所望され得るものは、下着のような外観と、柔軟性及びクッション性のさわり心地などの心地よい触感である。
【０００５】
一方、製造業者の観点から、材料を選択し、材料のコスト当たりの最良のユーザ経験を提供し得る様式で物品を製造するためのコストを制御しつつ、高品質の吸収性物品を提供することが望まれている。
【先行技術文献】
【特許文献】
【０００６】
【特許文献１】国際特許公開第２００６／１７７１８（Ａ）号
【発明の概要】
【発明が解決しようとする課題】
【０００７】
上述の内容に基づき、適用の容易さ、フィット感、着用中の快適性、緩みの防止、漏れ防止を損なうことなく、弾性ベルト領域について触感及び美感が改善された、パンツ型の着用可能物品が必要とされている。更に、かかる着用可能物品を経済的な方法で提供することが求められている。
【課題を解決するための手段】
【０００８】
本発明は、弾性ベルト領域と、クロッチ領域と、腰部開口部と、２つの脚部開口部とを有する、長手方向及び横断方向に連続した着用可能物品であって、
弾性ベルト領域は、不織布繊維から作られる内側シートと、不織布繊維から作られる外側シートと、横断方向に弾性ベルト領域を伸長するように構成された複数の弾性体とを含む積層体であり、
物品は、本明細書の測定に従って、圧縮仕事指数が少なくとも約７０ｇｆｃｍであり、伸長周長力が約６．５Ｎ未満である、着用可能物品に関する。
【図面の簡単な説明】
【０００９】
本明細書の末尾には、本発明を構成するものと見なされる主題を具体的に特定しかつ個別に特許請求する特許請求の範囲が添付されているが、本発明は、実質的に同一の要素が同様の符号を用いて指定されている添付の図面と以下の説明文を併せ読むことで、より良く理解されるものと考えられる。
【図１】本発明の着用可能物品の一実施形態を示す斜視図である。
【図２】シームの接合が解除されて取り外されて、衣類対向面を見せるように、平らな非収縮状態にある本発明の着用可能物品の一実施形態の概略平面図である。
【図３】長手方向中心線に沿った図２の断面図である。
【図４】衣類に面する表面を示している、非収縮状態にある本発明の着用可能物品の一実施形態の模式的な側面図である。
【図５】マネキンに着用させた本発明の着用可能物品の一実施形態の側面図である。
【図６Ａ】「物品圧縮試験」及び「物品ドレープ性試験」による装置例の模式図である。
【図６Ｂ】「物品圧縮試験」及び「物品ドレープ性試験」による装置例の模式図である。
【図６Ｃ】「物品圧縮試験」及び「物品ドレープ性試験」による装置例の模式図である。
【図６Ｄ】「物品圧縮試験」及び「物品ドレープ性試験」による装置例の模式図である。
【図７】本発明のドレープ性指数パラメータの概念的な図である。
【図８】「物品全体力測定（Whole Article Force Measurement）」によるハンガー型サンプル保持固定具の一例の模式図である。
【図９】「ベルトシーム形状測定（Belt Seam Shape Measurement）」によるストレッチボードに着用させた本発明の着用可能物品の一実施形態の側面図である。
【００１０】
（定義）
本明細書で使用するとき、以下の用語は後に指定される意味を有するものとする。
【００１１】
「着用可能物品」は、パンツ、テープ式おむつ、失禁者用ブリーフ、女性の生理用衣類などの形態であり得る着用物品を指す。「着用可能物品」は、尿、大便、経血など、身体から排出される様々な排出物を吸収し収容するように構成されてもよい。「着用可能物品」は、国際特許公開第２０１１／０８７５０３（Ａ）号に開示されているものなど、吸収及び収容機能を提供するための分離可能な使い捨ての吸収性インサートと接合されるように適合可能である、外側カバーとしての役割を果たし得る。
【００１２】
「パンツ」とは、あらかじめ形成された腰部及び脚部開口部を有する使い捨て吸収性物品を指す。パンツは、着用者の両脚を脚部開口部に挿入し、着用者の下部胴体の周囲の位置までパンツを滑らせることによって着用され得る。パンツは、通常、「閉じられたおむつ」、「あらかじめ締結されたおむつ」、「プルオンおむつ」、「トレーニングパンツ」、及び「おむつパンツ」とも呼ばれる。
【００１３】
「長手方向」とは、物品の腰部縁部から反対側の腰部縁部まで実質的に垂直に、及び物品の最大直線寸法に一般に平行に延びる方向を指す。
【００１４】
「横方向」とは、長手方向と垂直な方向を指す。
【００１５】
「近位」及び「遠位」は、それぞれ、物品の長手方向中心に近い又はより遠い位置を指す。
【００１６】
「身体に面する」及び「衣類に面する」とは、それぞれ、要素、又は要素の表面、又は要素の群の相対位置を指す。「身体に面する」とは、要素又は表面が、何らかの他の要素又は表面よりも、着用時に着用者により近いことを意味する。「衣類に面する」とは、要素又は表面が、何らかの他の要素又は表面よりも、着用時に着用者からより遠く離れている（すなわち、要素又は表面が、使い捨て吸収性物品の上に着用され得る着用者の衣類に対して近位にある）ことを意味する。
【００１７】
「配置される」とは、要素が、ある特定の場所又は位置に置かれていることを指す。
【００１８】
「接合された」とは、１つの要素を他の要素に直接付着させることによって、その要素が別の要素に直接、貼り付けられている構成、及び要素を中間部材に付着させ、その中間部材が更に他の要素に貼り付けられていることによって、その要素が他の要素に間接的に貼り付けられている構成を指す。
【００１９】
「フィルム」とは、材料の長さ及び幅が材料の厚さを大きく上回るシート状材料を指す。一般的には、フィルムは約０．５ｍｍ以下の厚さを有する。
【００２０】
「透水性」及び「不透水性」は、使い捨て吸収性物品が所期の使用の状況における、材料の浸透性を指す。具体的には、用語「透水性」とは、層又は層構造体が、押し圧がない状態で、液体の水、尿又は合成尿が層又は層構造体の厚さを通過可能な、孔、開口部及び／又は相互に接続された空隙を有していることを指す。反対に、用語「不透水性」は、層又は層構造体が、（重力などの自然の力の他に）押し圧がない状態では、液体の水、尿又は合成尿が層又は層構造体の厚さを通過できないことを指す。この定義に従う不透水性の層又は層構造体は、水蒸気に対して透過性であってもよい、すなわち、「蒸気透過性」であってもよい。
【００２１】
「延伸性」及び「延伸可能な」とは、弛緩状態における構成要素の幅又は長さを延伸又は増大させることができることを意味する。
【００２２】
「伸縮性がある」又は「伸縮性を持たせた」とは、構成要素が弾性材から作製された少なくとも一部分を含むことを意味する。
【００２３】
「伸長性材料」、「延伸性材料」、又は「伸縮性材料」は互換的に使用され、付勢力を加えると、破裂又は破断することなく、ＥＤＡＮＡ法２０．２−８９で測定して弛緩した元の長さの少なくとも約１１０％の伸長した長さまで延伸でき（すなわち、元の長さよりも１０％長く延伸でき）、加えた力を除くと、完全に破裂又は破断することなく、その伸長量の約２０％未満というわずかな回復を示す材料を指す。そのような伸長可能材料が、加えた力を解放した際に、その伸長量の少なくとも４０％回復する場合、その伸長可能材料は、「弾性」又は「エラストマー性」であると見なされる。例えば、１００ｍｍの初期長さを有する弾性材料は、少なくとも１５０ｍｍまで伸張することができ、力を取り除くと少なくとも１３０ｍｍの長さまで収縮する（すなわち、４０％の回復を示す）。加えた力を解放した際に、材料の回復が、その伸長量の４０％未満である場合、その伸長可能材料は、「実質的に非弾性」又は「実質的に非エラストマー性」であると見なされる。例えば、１００ｍｍの初期長さを有する伸長可能材料は、少なくとも１５０ｍｍまで伸張することができ、力を取り除くと少なくとも１４５ｍｍの長さまで収縮する（すなわち、１０％の回復を示す）。
【００２４】
「アートワーク」は、印刷又は他の方法で提供され、色を有する、裸眼への視覚的提示を指す。印刷は、リソグラフィ、スクリーン印刷、フレキソ印刷及びグラビアインクジェット印刷技術などの当業者に周知の様々な方法及び装置を含む。
【００２５】
本明細書で言及される「色」又は「着色」という用語は、白色以外のいずれかの原色、すなわち、黒色、赤色、青色、紫色、オレンジ色、黄色、緑色及び藍色、並びにそれらの淡色又は混合色のいずれかを含む。白色は、ＣＩＥ  Ｌ＊ａ＊ｂ＊色系に従って、Ｌ＊値が少なくとも９４、ａ＊値が０±２に等しく、ｂ＊値が０±２に等しい色であると定義される。
【発明を実施するための形態】
【００２６】
図１は、本発明の着用可能物品２０の一実施形態の斜視図であり、図２は、シームが接合されておらず、平らな非収縮状態で衣類に面する表面を見せている、同じ物品の概略平面図である。着用可能物品２０は、長手方向軸線としての役割も果たす長手方向中心線Ｌ１と、横断方向軸線としての役割も果たす横断方向中心線Ｔ１とを有する。着用可能物品２０は、身体に面する表面、衣類に面する表面、前側領域２６、後側領域２８、クロッチ領域３０及びシーム３２を有し、シーム３２は、前側領域２６及び後側領域２８を接合し、２つの脚部開口部と１つの腰部開口部を形成する。着用可能物品２０は、着用者のクロッチ領域を覆う中央シャーシ３８と、前側ベルト８４と後側ベルト８６（本明細書で以下、「前側及び後側ベルト」と呼ばれることがある）とを備えるベルト型パンツであってもよく、前側及び後側ベルト８４、８６は、腰部開口部を画定する横断方向に伸長する別個の環状弾性ベルト４０（本明細書で以下、「腰部ベルト」と呼ばれることがある）を形成する。ベルト型パンツの場合、別個の環状弾性ベルト４０は、弾性ベルト領域４０と呼ばれることもある。ベルト型パンツの場合、前側及び後側ベルト８４、８６及び中央シャーシ３８が一体となって脚部開口部を画定する。着用可能物品２０は、中央シャーシ３８が前側及び後側ベルト８４、８６と共に連続する一体型パンツであってもよく、脚部開口部は、連続的に形成される。一体型パンツでは、サイドシームの間に存在するベルト部分は、弾性ベルト領域４０であると見なされ、この領域は、サイドシームの近位縁部の間に横断方向に延びる想像線によって終端すると見なされる。物品の弾性ベルト領域４０を除く残りの部分は、クロッチ領域３０と見なされる。
【００２７】
図３を参照すると、中央シャーシ３８は、バックシート６０と、バックシート６０の衣類に面する側を覆うための外側カバー層４２とを含む。バックシート６０は、実質的に不透水性フィルムであってもよい。外側カバー層４２は不織布シートであってよい。中央シャーシ３８は、中央シャーシ３８上に出される身体排出物を吸収し、受け入れるための吸収性コア６２を含んでいてもよい。図２に示される実施形態では、中央シャーシ３８は、ほぼ長方形の形状であり、左右の長手方向に延びる側縁部４８（本明細書で以下、「側縁部」と呼ばれることがある）と、前側及び後側の横断方向に延びる末端縁部５０（本明細書で以下、「末端縁部」と呼ばれることがある）とを有する。中央シャーシ３８はまた、着用可能物品２０の前側領域２６に配置される前側腰部パネル５２と、後側領域２８に配置される後側腰部パネル５４と、クロッチ領域３０の前側及び後側腰部パネル５２、５４の間にクロッチパネル５６とを有する。前側ベルト８４の中心は、中央シャーシ３８の前側腰部パネル５２に接合され、後側ベルト８６の中心は、中央シャーシ３８の後側腰部パネル５４に接合され、前側及び後側ベルト８４、８６は、それぞれ、左側パネルと右側パネル８２を有し、この部分で中央シャーシ３８は重なり合っていない。
【００２８】
本発明の物品の弾性ベルト領域は、取付力を動的に生成し、着用中に動的に発生する力を分配するように作用する。近位縁部９０は、中央シャーシ３８のクロッチパネル５６に対して、遠位縁部８８よりも近くに位置している。前側及び後側ベルト８４、８６は、側縁部８９のみにおいてシーム３２で互いに接合されて、腰部開口部及び２つの脚部開口部を有する着用可能物品を形成することができる。各脚部開口部は、脚部開口部の周囲に弾性を与えてもよい。ベルト型パンツでは、脚部開口部の周囲の弾性は、前側ベルト８４、後側ベルト８６及び中央シャーシ３８のいずれかからの弾性の組み合わせによって与えられてもよい。
【００２９】
バックシート６０と外側カバー層４２の横断方向幅は同じであってもよく、変化してもよい（図示せず）。例えば、バックシート６０は、外側カバー層４２の横断方向幅と比較して、横断方向幅が短くてもよい。かかる構成により、脚部開口部の一部をなすクロッチパネル５６の長手方向側縁部４８は、より良好な通気性を有し得る。更に、かかる構成は、コストを削減し得る。
【００３０】
前側ベルト８４及び後側ベルト８６は、ベルト４０に弾性を付与するような構成である。前側ベルト８４及び後側ベルト８６はそれぞれ、横断方向に延びる複数の弾性体９６と、内側シート９４と、外側シート９２と、外側シート折り返し部９３とを有する積層体によって作られてもよく、外側シート折り返し部９３は、前側及び後側ベルトの遠位縁部８８で外側シート材料を折り畳むことによって形成される外側シート材料の伸長部であり、ベルト状弾性体９６は、これらの２つのシートの間に挟まれている。前側ベルト８４及び後側ベルト８６はそれぞれ、弾性体９６、内側シート９４、外側シート９２及び外側シート折り返し部９３のみによって作られてもよい。ベルト状弾性体９６は、前側ベルト８４と後側ベルト８６が接合するときに環状弾性ベルト４０を与えるように横断方向に延びていてもよい。弾性体９６の少なくとも一部が、互いに実質的に平行に横断方向に延びている。弾性体９６の全てが、互いに実質的に平行に横断方向に延びていてもよい。かかる物品は経済的に作製することができる。前側及び後側ベルト８４、８６がそれぞれ、横断方向に連続する近位縁部及び遠位縁部を有していてもよく、近位縁部９０は、物品の長手方向中心に対し、遠位縁部８８よりも近くに配置される。弾性体９６は、同じ又は異なるデニール、間隔、前側と後側の間の力で、ベルトの異なる長手方向の位置に配置されていてもよい。
【００３１】
前側及び／又は後側ベルト８４、８６は、中央シャーシ３８の前側及び／又は後側腰部パネル５２、５４と重なり合う特定の領域から弾性が取り除かれるように処理されてもよい。前側及び／又は後側腰部パネル５２、５４の特定の領域からの弾性の除去は、中央シャーシ３８が吸収性コア６２を含むときは、吸収性コア６２と重なり合う前側及び／又は後側の領域の弾性によって、吸収性コア６２中の吸収性層又は層のいずれかが集まり、着用者に対する中央シャーシ３８の密着を妨げることがあるという点で、有利であろう。一実施形態では、弾性体の少なくとも１つ、又は少なくとも半分、又は少なくとも３分の２の少なくとも一部、又は少なくとも１０％、又は少なくとも２０％、又は少なくとも３０％の弾性が、中央シャーシ３８の前側及び後側腰部パネル５２、５４と重なり合う領域で取り除かれる。図２を参照すると、弾性体９６が吸収性コア６２と重なり合う領域全体が、前側ベルト８４と同様に、その弾性が取り除かれてもよい。又は、後側ベルト８６に見られるように、吸収性材料が存在しない領域６１と重なり合い、吸収性コア６２の遠位縁部に向かう弾性体９６は、中央シャーシ３８の良好なフィット感のために能動的な弾性のある状態で配置されてもよい。このことは、漏れを防止するのに有利であろう。
【００３２】
図２を参照すると、非収縮状態にある後側ベルト８６の横断方向幅ＬＷは、同じ状態の前側ベルト８４の横断方向幅と同じであってもよい。かかる物品は経済的に作製することができる。
【００３３】
後側ベルト８６の全幅ＬＷに沿った、後側ベルト８６の後側遠位縁部８８と後側近位縁部９０との間の長手方向長さＬＢは、前側ベルト８４の前側遠位縁部８８と前側近位縁部９０との間の長手方向長さＬＦとほぼ同じであってもよい。かかる構成では、シーム３２は、物品を形成するための同じ長さの側縁部８９で、前側及び後側ベルト８４、８６を閉じる。かかる物品は経済的に作製することができる。
【００３４】
後側ベルト８６は、横断方向での後側ベルト８６のその全幅ＬＷに沿った後側遠位縁部８８と後側近位縁部９０との間の長手方向長さＬＢが、前側遠位縁部８８と前側近位縁部９０との間の前側ベルト８４の長手方向長さＬＦより大きくてもよい（図１及び図２）。かかる構成では、着用可能物品が組み立てられ、腰部開口部及び脚部開口部が形成されるとき、着用可能物品２０は、前側遠位縁部８８が後側遠位縁部８８と整列するように、横断方向中心線Ｔ１に沿って折り畳まれる。前側側縁部８９も後側側縁部８９の一部分と位置合わせされる。次に、前側ベルト８４及び後側ベルト８６が、前側及び後側側縁部８９においてシーム３２で接合される。しかしながら、前側及び後側近位縁部９０は互いに位置合わせされなくてもよい。後側近位縁部９０は、後側側部パネル８２の近位部分が前側近位縁部９０を超えて中央シャーシ３８のクロッチパネル５６に向かって延在するように、横断方向中心線Ｔ１に対して長手方向に前側近位縁部９０よりも近くに配置されてもよい。後側側部パネル８２の近位部分の側縁部は、どこにも接合されず、付着されていなくてもよい。このようにして、後側側部パネル８２の近位部分は、図１に示すような臀部カバー９５を提供する。
【００３５】
後側ベルト８６の長手方向長さＬＢ及び前側ベルト８４の長手方向長さＬＦが同じであるか否かに関わらず、前側ベルト８４のベルト側縁部８９の長手方向長さＬＦの全体が、後側ベルト８６のベルト側縁部８９と継ぎ合わされて、シーム長さＬＳを画定する。前側ベルト８４が、互いに実質的に平行である直線の遠位縁部８８及び近位縁部９０を有する場合、前側ベルト８４の長手方向長さＬＦはシーム長さＬＳに等しい。
【００３６】
弾性ベルト領域４０は、物品の機能及び品質と密接に関連があるだろう。したがって、弾性ベルト領域を形成するための材料、並びに弾性ベルト領域の弾性プロファイルは、物品の望ましさを与えるために製造業者によって慎重に選択される。下着のような外観と、柔軟性及びクッション性の触感などの心地よい触感は、高品質に関連があるだろう。伸張及び適用の容易さは、物品が装用後に緩むのを防ぐために着用中の特定の力も維持しつつ、高機能と関連があるだろう。前述の品質及び機能属性のバランスは、ユーザによる物品の完全に望ましい使用体験を与える。ユーザは、着用者又は介護人であってもよい。
【００３７】
本発明の物品の弾性ベルト領域４０は、本明細書の測定に従って、圧縮仕事指数が少なくとも約７０ｇｆｃｍ、又は少なくとも約７５ｇｆｃｍであり、伸長周長力が約６．５Ｎ未満である。圧縮仕事指数は、所与の力によって弾性ベルト領域４０に与えられる圧縮仕事量、又は所与の力によって弾性ベルト領域４０に与えられる全変形量を測定するためのものである。圧縮仕事指数の測定は、２００ｍｍ２の円形プランジャ３０４が、前側腰部縁部８８から３０ｍｍ近位の横断方向に延びる線と、サイドシーム３２の内側１０ｍｍの長手方向に延びる線の想像線に接触する部位で行われる。これは、弾性ベルト領域の品質が適切に測定され得る領域であると考えられている。理論に束縛されるものではないが、圧縮仕事指数が大きくなるほど、弾性ベルト領域が受け入れ、吸収することができる仕事が大きくなるため、ユーザによる弾性ベルト領域の感覚がより柔らかくなる。伸長周長力は、手を挿入し、物品を伸張させて開くときにユーザによって初期の伸張経験の感覚を模倣すると考えられる特定の伸張レベルでの負荷力を測定するためのものである。理論に束縛されるものではないが、伸長周長力が小さいほど、弾性ベルト領域は、より小さな力で伸張することができるため、弾性ベルト領域のユーザによる知覚がより柔らかくなると考えられる。
【００３８】
本発明の物品の弾性ベルト領域４０は、本明細書の測定に従って、ドレープ性指数が約２５％未満、又は約１２％未満であってもよい。ドレープ性指数は、物品のベルト弾性領域４０のドレープ特性、又は可撓性を測定するためのものである。ドレープ性指数の測定は、１０ｍｍ×５０ｍｍのドレーププランジャが、前側腰部縁部８８から３０ｍｍ近位の横断方向に延びる線と、サイドシーム３２の内側１０ｍｍの長手方向に延びる線の想像線に接触する部位で行われる。圧縮仕事指数と同様に、これは、弾性ベルト領域の品質が適切に測定され得る領域であると考えられている。理論に束縛されるものではないが、ドレープ性指数が小さいほど、弾性ベルト領域はより可撓性であり、柔らかい下着のような触感が弾性ベルト領域に提供されると考えられる。圧縮仕事指数及びドレープ性指数は、ユーザの異なる種類の柔らかさの感覚を測定することを意図している。
【００３９】
本発明の物品の弾性ベルト領域は、本明細書の測定に従って、圧縮仕事指数が少なくとも約７０ｇｆｃｍであり、ドレープ性指数が約２５％未満、伸長周長力が約７．０Ｎ未満であってもよい。
【００４０】
上述したように、本発明の物品は、好適な伸長周長力（Ｎ）を有していてもよい。伸長周長力とは、手を挿入し、物品を伸張させて開くときにユーザによって初期の伸張経験の感覚を模倣すると考えられる特定の伸張レベルでの負荷力を意味する。物品を伸張して開くときにユーザが感じると考えられる伸張レベルは、「４７０ｍｍ伸長周長」によって表される。４７０ｍｍの寸法は、出願人による研究に基づいて選択され、ここで、体重が６〜２０ｋｇの小児の恥骨と一致する高さでの平均起立臀部周囲（ｍｍ）は、１０００人を超える被験者からのデータに基づき、４７３ｍｍであった。すなわち、パンツ物品を着用するための一般的な習慣によると、ユーザは、パンツ物品の弾性ベルト領域を、着用者の身体の臀部周囲よりも大きく、又は小さい周囲まで伸張して開くだろう。体重６〜２０ｋｇは、サイズ３〜６（サイズＭ〜ＸＸＬ）のパンツ物品の着用者の推奨体重と一致する。本発明の物品は、伸長周長力が約７Ｎ以下、又は約６．５Ｎ以下、又は約６Ｎ以下である。このような伸長周長力を有することにより、弾性ベルトを容易に開き、適用することができる。
【００４１】
本発明の物品は、好適な適合周長力（Ｎ）を有していてもよい。適合周長力とは、物品を着用している間の着用者による力の感覚を模倣すると考えられる特定の伸張レベルでの負荷がかかっていない力である。物品を着用している間に着用者が感じると考えられる伸張レベルは、４７０ｍｍ伸長周長によっても表される。本発明の物品は、適合周長力が約２Ｎ以上である。このような適合周長力を有することにより、弾性ベルトは、緩み及び漏れを防ぐ良好なフィット性を与える。理論に束縛されるものではないが、約２Ｎ以上の最小適合周長力と組み合わせて、約６．５Ｎ以下の比較的小さな伸長周長力を有することによって、弾性ベルト領域が適用容易になり、確実であるが柔らかいフィット性が与えられ得ると考えられる。
【００４２】
本発明の物品は、少なくとも特定の最大周囲（ｍｍ）を有していてもよい。最大周囲は、物品が伸張して開くことが可能な最大の周囲を測定することを意味する。本発明の物品は、最大周囲が、サイズ３（又はＭサイズ、体重６〜１１ｋｇの着用者向け）では約６１０ｎｍ〜約６７０ｍｍ、サイズ４（又はＬサイズ、体重が９〜１４ｋｇの着用者向け）では約６６０ｍｍ〜約７２０ｍｍ、又はサイズ５（又はＸＬサイズ、体重が１２〜１７ｋｇの着用者向け）では約７１０ｍｍ〜約７６０ｍｍであってもよい。
【００４３】
最大周囲（ｍｍ）、４７０ｍｍ伸長周長（ｍｍ）、適合周長力（Ｎ）、伸長周長力（Ｎ）は、以下の「物品全体力測定」に従って得られる。
【００４４】
前側及び後側弾性ベルト８４、８６の引張応力（Ｎ／ｍ）はそれぞれ、本発明の利益をもたらすためにプロファイリングされてもよい。前側及び後側ベルト８４、８６が環状弾性ベルトを形成し、内側シート９４と外側シート９２との間に挟まれた全ての弾性体が、互いに実質的に平行に横断方向に伸びているとき、引張応力は、例えば、本明細書で以下に記載する区域引張応力測定によって測定されてもよい。前側及び後側弾性ベルト８４、８６の弾力性が、横方向に延びる複数の弾性体９６によって供給される場合、引張応力は、次の方法のうちの１つ又は複数によって調整されてもよい。１）弾性体９６の伸び率；２）弾性体９６の密度（ｄｔｅｘ）；３）複数の弾性体９６の長手方向間隔；及び４）弾性体９６の横断方向における弾性の有効長さ。伸び率について言えば、「０％の伸び率」とは、弾性体の長さが元の長さであることを意味する。弾性体の一部がその弾力性を取り除かれている場合、残りの、影響を受けていない弾性体で、弾力性を付与する能力のある部分が、「弾性体の弾力性の有効長さ」として定義される。前側及び／又は後側ベルト８４、８６に配置された弾性体９６は、中央シャーシ３８の前側及び／又は後側腰部パネル５２、５４と重なり合う特定の領域から弾性が取り除かれるように処理されてもよい。少なくとも１つの弾性体の前側及び／又は後側腰部パネル５２、５４が重なり合う領域の少なくとも一部からの弾性の除去は、前側及び／又は後側領域での弾性によって、吸収性コア６２が集まり、着用者に対する中央シャーシ３８の密着を妨げることがあるという点で、中央シャーシ３８が吸収性コア６２を含むときは、有利であろう。一実施形態では、弾性体の少なくとも１つ、又は少なくとも半分、又は少なくとも３分の２の少なくとも一部、又は少なくとも１０％、又は少なくとも２０％、又は少なくとも３０％の弾性が、中央シャーシ３８の前側及び後側腰部パネル５２、５４又は吸収性コア６２と重なり合う領域で取り除かれる。
【００４５】
図４を参照すると、前側及び後側ベルト８４、８６はそれぞれ、横断方向に延びる４つの区域に分割されており、シーム長さＬＳの割合に対して、遠位縁部８８から近位縁部９０までのその位置が定義されている。前側ベルト８４のベルト側縁部８９の全長が、後側ベルト８６のベルト側縁部８９の特定の長さと継ぎ合わされて、シーム長さＬＳが定められる。シーム長さＬＳが、前側ベルト８４の遠位縁部８８で０％、近位縁部９０で１００％と見なされる場合、区域は、０〜２５％が腰部区域１０２、２５〜５０％が遠位腹部区域１０４、５０〜８５％が近位腹部区域１０６、８５〜１００％が脚部区域１０８のように定められる。弾性体が遠位縁部８８から２５％の位置に配設されているとき、かかる弾性体は腰部区域１０２に含まれるものと見なされる。弾性体が遠位縁部８８から５０％の位置に、又は遠位縁部８８から８５％の位置に配設されているとき、かかる弾性体は近位腹部区域１０６に含まれるものと見なされる。後側ベルト８６の長手方向長さＬＢが前側ベルト８４の長手方向長さＬＦよりも長い実施形態の場合、後側ベルト８６の「ＬＢからＬＳを引いた」残りの長さは、上述した４つの区域に計上されない。
【００４６】
本発明の物品は、弾性ベルト領域に引張応力を付与するために区域のそれぞれに配置された複数の弾性体を有してもよい。前側近位腹部区域１０６に配置された弾性体は、密度が約５４０ｄｔｅｘ以上であってもよい。前側近位腹部区域１０６上のそれぞれの弾性体は、約１５０％から約２５０％の伸び率で配置されてもよい。一実施形態では、６〜１８個の弾性体が前側近位腹部区域１０６上に配設されてもよい。いくつかの弾性体は、特定の領域に、より高い引張応力を付与するように配置されてもよい。より高い引張応力を有するかかる１つ以上の弾性体は、２〜４ｍｍのアレイ内空間を有する２〜４個の弾性ストランドのアレイ内に配置されてもよい。アレイは、前側近位腹部区域１０６上に配置されてもよい。アレイは、後側遠位腹部区域１０４上に配置されてもよい。
【００４７】
本発明の物品では、前側近位腹部区域１０６の引張応力が、前側又は後側のいずれかの他のどの区域の引張応力よりも大きくてもよい。前側近位腹部区域１０６の引張応力は、前側遠位腹部区域１０４の引張応力の約２００％以上であってもよい。前側遠位腹部区域１０４の引張応力は、後側遠位腹部区域１０４の引張応力より小さくてもよく、又は約７０％以下であってもよい。前側近位腹部区域１０６の引張応力は、後側近位腹部区域１０６の引張応力の約１５０％以上であってもよい。前側脚部区域１０８の引張応力は、後側脚部区域１０８の引張応力の約８０％〜約２００％であってもよい。一実施形態では、前側腰部区域１０２の引張応力は、後側腰部区域１０２の引張応力の約８０％〜約１２０％であってもよい。
【００４８】
図５を参照すると、理論に束縛されるものではないが、区域あたりのこのような引張応力のプロファイリングは、ヒトの身体に、特に、３６月齢未満の小児の下部胴体に十分に沿い、そのため、緩みの防止又は漏れの防止を犠牲にすることなく、着用者に良好なフィット性及び快適さを与える形状の弾性ベルト４０を有する本発明の物品を与えると考えられる。すなわち、前側近位腹部区域１０６は高い引張応力を受け、それによって物品が着用者の転子部に対して固定されてもよく、一方では後側近位腹部区域１０６により多くの領域を残し、着用者の臀部に適応する。物品が転子部に確実に固定されている限り、脚部開口部に隣接する脚部区域１０８には、近位腹部区域１０６に比べて、極めて小さい引張応力を提供し得る。したがって、前側脚部開口部領域１２０における柔らかいフィット性によって脚部の動きが容易になる。更に、後側遠位腹部区域１０４に、前側遠位腹部区域１０４よりも大きい引張応力を提供することによって、着用者の前側腰部領域が調節される。
【００４９】
上述のプロファイリングの結果、本発明の物品に、物品を着用者が着用している状態を側方から見た場合にＳ字形のサイドシーム３２の形状となるだろう。前側ベルト８４が、前側近位腹部区域１０６の物品中で最も大きい引張応力によって前側に向かって引っ張られるので、サイドシーム３２の残りの部分は、それに応じて湾曲し得る。本発明の腰部ベルト４０は、以下に説明する「ベルトシーム形状測定法」によって測定されると、ｄ値は約＋１０ｍｍ以上、又は約＋１５ｍｍ以上、又は約＋２０ｍｍ以上になり得る。このようなｄ値は、前側近位腹部区域１０６での良好な固定を与えつつ、着用者の比較的大きな前側腰部領域と大きな臀部領域に沿う物品の指標である。サンプルが平衡に達するまでに一定の長さの時間が許容される限り、サンプルにストレッチボード１８０がどのように挿入されていても、湾曲したサイドシーム３２及び正のｄ値が観測される。本発明の腰部ベルト４０のそのような性質は、市場で入手可能な多くの着用可能物品とは対照的であり、サイドシームは、比較的直線をとるか、又は後方に向かってわずかに傾斜している線をとる。比較的直線をとるサイドシームを有するこのような物品では、本明細書のベルトシーム形状測定によるｄ値は、負になる場合がある。
【００５０】
本明細書に記載する弾性プロファイリングを、物品あたりの弾性ベルト４０について合計で６０以下、又は４６以下の弾性体を用いることによって、長手方向軸での長手方向長さが４２０ｍｍ以上、又は４５０ｍｍ以上、又は５００ｍｍ以上である物品を経済的に製造するために利用してもよい。本発明の物品は、物品の長手方向の全長が３５０ｍｍ〜６００ｍｍ、有効横断方向ベルト幅（ＬＷ）が３１５ｍｍ〜５００ｍｍ、後側ベルトの長手方向長さ（ＬＢ）が１００ｍｍ〜１８０ｍｍ、前側ベルトの長手方向長さ（ＬＦ）が８０ｍｍ〜１６０ｍｍ、中央シャーシの長手方向長さが３１０ｍｍ〜５６０ｍｍ、中央シャーシの横断方向幅が１５０ｍｍ〜２１０ｍｍであってよい。本発明の物品は、前側ベルトの遠位縁部から中央シャーシの長手方向縁部までの距離が０ｍｍ〜７０ｍｍ、後側ベルトの遠位縁部から中央シャーシの長手方向縁部までの距離が０ｍｍ〜９０ｍｍであってよく、前側及び後側ベルトでのこのような距離は、同じであってもよく、又は異なっていてもよい。中央シャーシの長手方向長さは、物品の長手方向の全長の７０％〜１００％であってもよい。中央シャーシが吸収性コア６２を備える場合には、コアは、長手方向長さが２７０ｍｍ〜５００ｍｍ、コアの横断方向の最大幅が、９０ｍｍ〜１２５ｍｍ、コアの長手方向縁部から中央シャーシの長手方向縁部までの距離が１０ｍｍ〜４０ｍｍであってよい。コアの長手方向長さは、物品の長手方向の全長の６０％〜９５％であってもよく、又は中央シャーシの６６％〜９７％であってもよい。
【００５１】
本発明では、同じ区域の前側及び後側に配置される弾性体の伸び率は、実質的に一致していてもよい。弾性体の特定の長さで弾性が取り除かれるとき、かかる弾性体の弾性の有効長さが考慮される。同じ区域の前側及び後側に配設された弾性体の伸び率を一致させ、かつ前側及び後側ベルト８４、８６を同一の幅ＬＷとすることによって、物品２０は、伸張していない収縮状態では、物品２０を平らにすることができるように製造されてもよい。着用者の体型に適応する物品２０の上述した整形効果は、物品２０が伸張した着用可能状態にあるときにのみに発揮される。かかる平らになる能力は、多くの市販のパンツタイプの着用可能物品に見られ、物品を経済的に提供するための多くの利益を提供する。平らになる能力は、物品２０の組立て、移送、及び包装に適応する。
【００５２】
本発明の得られた着用可能物品は、高品質の感覚、全体的な柔らかさ、適用の容易さ、フィット感、着用中の快適性、着用中の容易な動き、緩みの防止及び漏れ防止を提供することができる。
【００５３】
弾性ベルト領域４０を形成するための外側シート９２は、嵩高な下着様の外観及び感触を与えるような特定の材料厚さ、例えば、少なくとも約０．２５ｍｍ、又は少なくとも約０．３ｍｍを有していてもよい。本明細書における材料の厚さは、以下の「厚さ及び坪量のための準備」に従って最終製品から得られる材料に関し、「Ｂａｓｅ  ｃａｌｉｐｅｒ  ｍｅｔｈｏｄ−ＡＳＴＭ  Ｄ  ６５４  Ｓｔａｎｄａｒｄ  Ｔｅｓｔ  Ｍｅｔｈｏｄ  ｆｏｒ  Ｔｈｉｃｋｎｅｓｓ  ｏｆ  Ｐａｐｅｒ  ａｎｄ  Ｐａｐｅｒ  Ｂｏａｒｄ」によって、負荷を５００Ｐａに変えて測定される。本発明の外側シート９２に好適なものとしては、嵩高不織布、エアスルーカーディング不織布、及びコア偏心バイコンポーネントフィラメント又はサイドバイサイドバイコンポーネントフィラメントによって作製される捲縮繊維から作製されるスパンボンド不織布、好ましくはエアスルーカーディング不織布が挙げられる。外側シート９２に好適な材料の非限定的な例としては、Ｄａｙｕａｎ（中国、北京）から入手可能な商標名ＦＪ２０６を有するものなどの、直径１５μｍ未満のＰＥ／ＰＥＴバイコンポーネント短繊維から作製される、２０〜５０ｇｓｍのエアスルーカーディング不織布が挙げられる。
【００５４】
内側シート及び外側シート９２、９４は、同じ材料であってもよく、又は異なる材料であってもよく、得られる物品の望ましさに応じて、通気性、柔軟性、クッション性、嵩高性、及びこれらの組み合わせなどの特性を提供するように選択されてもよい。内側シート及び外側シート９２、９４は、同じ又は異なる坪量、剛性、質感、又はこれらの任意の組み合わせを有してもよい。外側シート９２は、コストを制御しながら、上述のような良好な触感受け入れを提供するために、内側シート９４よりも高い坪量を有してもよい。
【００５５】
本発明の内側シート９４に好適なものとしては、１０〜４０ｇｓｍの柔らかい不織布、フィラメント添加剤スリップ剤を有するスパンボンド不織布、スパンボンド高ロフト不織布又はエアスルーカード不織布、好ましくはスパンボンド高ロフト不織布が挙げられる。
【００５６】
外側カバー層４２の材料は、得られる物品の望ましさに応じて、通気性、柔軟性、クッション性、嵩高性、及びこれらの組み合わせなどの特性を提供するように選択されてもよい。外側カバー層４２は、物品のための一体的な美的感覚及び触感を提供するために、外側シート９２と同じ材料で作製されてもよい。「同じ材料」とは、不織布が、形状、組成、２μｍ以下の直径差、２ｇｓｍ以下の坪量差を有する同じ種類のフィラメントを含むことを意味する。このような材料の比較は、以下に詳述するように、ＳＥＭ及びＦＴＩＲ測定によって材料を分析することによって行われる。本明細書の坪量は、以下の「厚さ及び坪量のための準備」に従って最終製品から得られる材料に関し、「Ｂａｓｉｓ  ｗｅｉｇｈｔ−ＡＳＴＭ  Ｄ  ７５６  Ｐｒａｃｔｉｃｅ  ｆｏｒ  Ｄｅｔｅｒｍｉｎａｔｉｏｎ  ｏｆ  Ｗｅｉｇｈｔ  ａｎｄ  Ｓｈａｐｅ  Ｃｈａｎｇｅｓ  ｏｆ  Ｐｌａｓｔｉｃｓ  Ｕｎｄｅｒ  Ａｃｃｅｌｅｒａｔｅｄ  Ｓｅｒｖｉｃｅ  Ｃｏｎｄｉｔｉｏｎｓ」によって測定される。
【００５７】
図３を参照すると、ベルト型パンツに関して、前側及び後側ベルト８４、８６は、クロッチ領域３０において互いに不連続であり、外側カバー層４２は、クロッチ領域３０の衣類に面する表面である。外側カバー層４２は、前側腰部パネル５２及び後側腰部パネル５４の長手方向に部分的にのみに延在し、前側腰部パネル５２及び後側腰部パネル５４の遠位部が外側カバー層４２を含まない状態にしてもよい。すなわち、外側カバー層４２の長手方向長さは、クロッチパネル５６の長手方向長さよりも長く、かつ、バックシート６０の長手方向長さよりも短い。このような構成によれば、前側腰部パネル５２及び／又は後側腰部パネル５４の遠位部には、外側カバー層４２が存在せず、全体的な物品としてより良い通気性が提供される。更に、これにより、外側カバー層４２材料のコスト削減を与えることができる。したがって、図３の中央シャーシ３８の衣類に面する表面とバックシートとの間の要素の層を見ると、外側カバー層４２が存在する腰部パネル５２上に配置された移行領域３４が存在する。移行領域３４の長手方向長さは、可能な限り短く、例えば、約２０ｍｍ未満、又は約１５ｍｍ未満、又は約１０ｍｍ未満であってもよい。更に、接着剤が、移行領域３４の全領域に、又は移行領域３４の遠位縁部から長手方向に最大５ｍｍ以下を残す全領域に、塗布されてもよい。着用可能物品に魅力的なアートワークを経済的に提供するために、バックシート６０の衣類に面する側に印刷を施してもよい。移行領域３４を可能な限り短く提供し、透明性を向上させるために移行領域３４に接着剤を適用し、又は移行領域３４にアートワークを表示するのを単純に避けることによって、アートワークと観察者との間の異なる材料層の上にあるアートワークの外観が損なわれるのを回避することができる。図２を参照すると、バックシート６０上のアートワークは、領域４０Ｆ又は４０Ｂに印刷されてもよい。
【００５８】
又は、バックシート６０上に設けられたアートワークが弾性ベルト領域４０及びクロッチ領域３０を横切って延在するとき、ベルト領域４０内のアートワークの面積は、クロッチ領域３０内の領域と比較して、輝度が低減し、コントラストが増大した状態で提供されてもよい。その結果、衣類に面する面から物品として観察される場合、アートワークの強度は実質的に同様である。輝度が低減し、コントラストが増大したアートワークを提供することによって、アートワークは、材料の重なり合った層によって提供される不透明度によって影響を受けにくい。
【００５９】
これに代えて、及び／又はこれに加えて、弾性ベルト領域４０内のアートワークは、内側シート９４の衣類に面する表面に、又は外側シート９２の身体に面する表面に印刷されてもよく、クロッチ領域３０のアートワークは、バックシート６０に印刷されてもよい。これらの特定の層にアートワークを印刷することにより、衣類に面する表面と印刷との間の層の数を等しくすることができ、外観の違いを緩和することができる。外側シート９２と外側カバー層４２との不透明度の差は、不透明度が一致するように層を選択することによって、又は同じ材料を配置することによって最小化されてもよい。弾性ベルト領域４０のアートワークは、インクによって内側シート９４又は外側シート９２上に直接印刷されてもよく、又は所定の形状の有色ウェブを配置することによって印刷されてもよい。
【００６０】
上述したように、前側ベルトは、長手方向長さＬＦを有してもよく、後側ベルトは、長手方向長さＬＢを有してもよく、外側シート折り返し部９３は、外側シート材料を前側ベルト及び後側ベルトの遠位縁部８８で折り畳むことによって形成される。前側外側シート折り返し部９３は、少なくとも約０．３ＬＦ、又は約０．３ＬＦ〜約０．７ＬＦ、又は約０．５ＬＦ〜約０．７ＬＦの長手方向長さを有してもよい。後側外側シート折り返し部９３は、前側外側シート折り返し部９３の長さに一致する長手方向長さを有していてもよい。すなわち、後側外側シート折り返し部は、前側外側シート折り返し部とほぼ同じ長さを有していてもよい。
【００６１】
本発明の物品は、全体的な柔軟性を提供し、適用が容易であり、着用者が着用するのに快適であり、着用者が容易に動くことを可能にし、下着様の感覚及び全体的な高品質を提供する。
【００６２】
１．厚さ及び坪量のための準備
最終製品で使用される材料の厚さ及び坪量を測定するために、以下のサンプリング手順を行う。
【００６３】
最終物品からサンプルを得るために、利用可能な場合には、変形又は絞りを含まない領域が選択される。ベルト弾性領域４０が利用可能な場合、弾性が不活性化されている領域が選択される。外側シート９２、内側シート９４又は外側カバー層４２は、「Ｑｕｉｋ−Ｆｒｅｅｚｅ（登録商標）」型コールドスプレーを適用する、又は不織布組成物の特性を永久的に変えてしまわない他の適切な方法などの技術によって、他の構成要素（例えば、ベルト積層不織布層、又はバックシートフィルム）から分離される。技術面の側は、外側シート９２又は外側カバー層４２のための衣類に面する表面、内側シート９４の身体に面する表面として使用することを意図した表面である。分離プロセス中、不織布組成物の伸張を防ぐことに注意を払わなければならない。１００ｍｍ×１００ｍｍの正方形の形状を、カッターとサンプルを得るための１００ｃｍ２ダイを用いて切り出す。
【００６４】
坪量を測定するために、テトラヒドロフラン（ＴＨＦ）を溶媒として使用する以下の工程により、任意の残りの接着剤をサンプルから除去する。
１．フード内で、１リットルのＴＨＦを３〜４リットルビーカーに移す。
２．１リットルのＴＨＦにサンプルを浸漬する。
３．ビーカーを振盪テーブル上に置き、１５分間穏やかに撹拌し、サンプルを含む溶液を更に５分間静置したまま保つ。
４．ＴＨＦ溶液からサンプルを取り出し、ＴＨＦ溶液をサンプルから注意深く絞り出す。
５．サンプルをフード内で最低１５分間風乾させる。
【００６５】
サンプルは、同じパッケージからの１０個の最終製品から得られ、各一連の測定のために、各物品の同じ領域から切断される。サンプルを、約２３±２℃、相対湿度約５０±５％に維持した部屋で試験前に少なくとも２時間、あらかじめ調整する。
【００６６】
２．圧縮仕事指数
本方法は、試料物品の弾性ベルト領域の圧縮特性（すなわち圧縮仕事指数）を測定するためのものである。ＴｅｓｔＷｏｒｋｓ  ４  Ｓｏｆｔｗａｒｅ（ＭＴＳ  ＳＹＳＴＥＭＳ（中国）ＣＯ．，ＬＴＤから入手可能）を実行するＭＴＳ  Ｃｒｉｔｅｒｉｏｎ  Ｃ４２などのコンピュータインターフェースを備えた電子引張試験機、又は同等の機器を使用して、力を測定する。試験される試料に対する力が、使用するロードセルの能力の１０〜９０％になるように、ロードセルを選択する。機器は、メーカーの指示書に従って較正する。全ての試験は、２３±２℃、相対湿度５０±５％に維持された部屋で行う。サンプルを、２３±２℃、相対湿度５０±５％に維持した部屋で試験前に少なくとも２時間、あらかじめ調整する。サンプルを、処理を行っていないパッケージから取り出してすぐに使用する。
【００６７】
図６Ａ及び図６Ｂを参照すると、引張試験機は、上部固定のためのプランジャ（特注の２００ｍｍ２円形プランジャ３０４）と、底部固定のためのステージ（１５０ｍｍ×３１０ｍｍステージ３０５）が取り付けられる。機器は、以下の工程をこなすように設定される。
【００６８】
【表１】
0006949977.tif 000002
【００６９】
クロスヘッドは、円形プランジャ３０４がステージ３０５に近いが、接触はしていない位置まで引き下げられる。これは、試験手順開始時に、円形プランジャ３０４が移動してステージ３０５に到達するまでの時間を最小限にするためである。定規を用いて試料物品の粗い厚さを測定する。サンプルの粗い厚さ＋１ｍｍは、「圧盤分離」値である。円形プランジャ３０４の移動を、最初にステージ３０５に到達するように設定し、次いで、円形プランジャ３０４とステージ３０５との間に所定の「圧盤分離」値が与えられるまで、上げられる。円形プランジャ３０４の周囲が、前側腰部縁部から３０ｍｍ近位の横断方向に延びる線と、サイドシームの内側１０ｍｍの長手方向に延びる線の想像線に接触するように、円形プランジャ３０４とステージ３０５の間にサンプルを挿入する。負荷が４００ｇｆを超えるまで試料物品を圧縮し、次いで、「圧盤分離」位置に戻るように、クロスヘッドの移動を設定する。
【００７０】
５つのサンプルを分析し、圧縮仕事指数を計算し、最も近い０．１ｇｆｃｍ単位で報告する。
【００７１】
圧縮仕事指数：圧縮プロセスの間、サンプルに対して全仕事を行う。圧縮曲線の積分。
【００７２】
【数１】
0006949977.tif 000003
式中、Ｄａは、ロードセルが１ｇｆを検出したときの初期厚さであり、Ｄｃは、最大負荷４００ｇｆでの最小厚さであり、Ｐは、測定された負荷であり、Ｄは、圧縮試験中に測定された厚さである。
【００７３】
３．ドレープ性指数
本方法は、物品のベルト弾性領域についてドレープ特性又はドレープ性指数を測定することである。ＴｅｓｔＷｏｒｋｓ  ４  Ｓｏｆｔｗａｒｅ（ＭＴＳ  ＳＹＳＴＥＭＳ（中国）ＣＯ．，ＬＴＤから入手可能）を実行するＭＴＳ  Ｃｒｉｔｅｒｉｏｎ  Ｃ４２などのコンピュータインターフェースを備えた電子引張試験機、又は同等の機器を使用して、力を測定する。試験される試料に対する力が、使用するロードセルの能力の１０〜９０％になるように、ロードセルを選択する。機器は、メーカーの指示書に従って較正する。全ての試験は、２３±２℃、相対湿度５０±５％に維持された部屋で行う。サンプルを、約２３±２℃、相対湿度約５０±５％に維持した部屋で試験前に少なくとも２時間、あらかじめ調整する。サンプルを、処理を行っていないパッケージから取り出してすぐに使用する。
【００７４】
引張試験機は、図６Ｂ及び図６Ｃに示されるように、プランジャとステージを取り付ける。上側ジョーは、２５．４×２５．４ｍｍの正方形のジョー領域と置き換えられ、１０ｍｍ×５０ｍｍの領域を有する特注のドレーププランジャ３０６に接続される。下側ジョーは、１５０ｍｍ×３１０ｍｍのステージ３０５と置き換えられる。図６Ｄを参照すると、１４０ｍｍ×１４０ｍｍの領域を有するドレーププレート３０８をステージに置き、このドレーププレート３０８はドレーププレートの中央に、長さ１４０ｍｍ、幅３０ｍｍ、深さ８ｍｍの寸法を有するスロット３０９を有する。ドレーププランジャ３０６が、下に移動したときにスロット３０９と適合し得るように、ドレーププレート３０８は、ドレーププランジャ３０６と位置合わせされている。機器は、以下の工程をこなすように設定される。
【００７５】
【表２】
0006949977.tif 000004
【００７６】
クロスヘッドは、ドレーププランジャ３０６がステージ３０５に近いが、接触はしていない位置まで引き下げられる。定規を用いて試料物品の粗い厚さを測定する。サンプルの粗い厚さ＋８ｍｍは、「圧盤分離」値である。ドレーププランジャ３０６の移動を、最初にドレーププレート３０８に到達するように設定し、次いで、ドレーププランジャ３０６とドレーププレート３０８との間に所定の「圧盤分離」値が与えられるまで、上げられる。ドレーププランジャ３０６の周囲が、前側腰部縁部から３０ｍｍ近位の横断方向に延びる線と、サイドシームの内側１０ｍｍの長手方向に延びる線の想像線に接触するように、ドレーププランジャ３０６とドレーププレート３０８の間にサンプルを挿入する。負荷が１０００ｇｆを超えるまで試料物品を圧縮し、次いで、「圧盤分離」位置に戻るように、クロスヘッドの移動を設定する。５つのサンプルを分析し、圧縮線形性（ＬＣ）を計算し、最も近い０．１％単位で報告する。
【００７７】
【数２】
0006949977.tif 000005
ここで、ＣＷ（ｇｆｃｍ）は、測定プロセス中に試料上で行われる総仕事であり、図７の圧縮曲線の積分であり、Ｄａ’は、ロードセルが１ｇｆを検出したときのドレーププランジャとドレーププレートとの間の間隔であり、Ｄｃ’は、最大負荷１０００ｇｆでのドレーププランジャとドレーププレートとの間の間隔であり、Ｐは、測定された負荷であり、Ｄは、ドレープ試験中のドレーププランジャとドレーププレートとの間の測定された間隔である。ロードセルが１ｇｆを検出したら、測定点が開始する。ロードセルが下降し、ロードセルが１０００ｇｆを検出したとき、曲線をＡからＢにする。
【００７８】
４．物品全体力測定法
ＴｅｓｔＷｏｒｋｓ  ４  Ｓｏｆｔｗａｒｅ（ＭＴＳ  ＳＹＳＴＥＭＳ（中国）ＣＯ．，ＬＴＤから入手可能）を実行するＭＴＳ  Ｃｒｉｔｅｒｉｏｎ  Ｃ４２などのコンピュータインターフェースを備えた電子引張試験機、又は同等の機器を使用して、力を測定する。試験される試料に対する力が、使用するロードセルの能力の１０〜９０％になるように、ロードセルを選択する。機器は、メーカーの指示書に従って較正する。全ての試験は、２３±２℃、相対湿度５０±５％に維持された部屋で行う。
【００７９】
応力試験機に、図７に示されるような、ハンガー型のサンプル保持固定具３００を取り付ける。各固定具は、試験中に試料が滑るのを防ぐために、剛性で直線状の、ゴムでコーティングされた水平バー部分３０２を備える。水平バー部分のバーの外径（ゴムコーティングを含む）は１０．０ｍｍである。水平バー部分３０２の中央軸線は、全テスト過程を通して平行で同一鉛直面内に保たれるように構成されている。基準周長は、次式によって決定される。
基準周長＝２×（Ｈ＋Ｄ＋πＤ／２）
式中、Ｈは水平バー部分３０２間の垂直方向ギャップ、Ｄはバーの外径である。
【００８０】
機器は、以下の工程をこなすように設定される。
【００８１】
【表３】
0006949977.tif 000006
【００８２】
バーが物品の腰部開口部及び一方の脚部開口部を通るように、試料物品２０を上側の水平バー部分３０２上に挿入する。試験片が下側のバーの上方でぶら下がり、下側のバー３０２に触れなくなるまで、クロスヘッドを持ち上げる。ロードセルの風袋を差し引き、物品を伸張させずに下側のバー３０２を腰部開口部及び他方の脚部開口部に挿通させることができるように、クロスヘッドを下降させる。物品を調節して、物品の長手方向中心線Ｌ１が上側及び下側のバー３０２の真ん中で水平面内にあるようにする。バー３０２と接触している側部部分の中心が、機器のロードセルと同じ垂直軸線上に位置するようにする。物品を必要に応じて手で適所に保持しつつ、不要な力が加わらないように注意しながら、力が０．０５〜０．１Ｎになるまでクロスヘッドをゆっくり持ち上げる。この時点での基準周長が初期基準周長である。試験を開始し、１９．６Ｎの力が得られるまでクロスヘッドを２５４ｍｍ／分で上に移動させ、次いで同じ速度でクロスヘッドをすぐに初期ゲージ周長に戻す。試験の伸張セグメント中、１９．６Ｎで最大周長を記録する。
【００８３】
１９．６Ｎでの最大周長が最大周長（ｍｍ）であると定義される。４７０ｍｍの円周での力は、４７０ｍｍ伸長周長（ｍｍ）であると定義される。伸長周長力は、この試験の負荷（伸張）セグメント中の４７０ｍｍ伸長周長での力であると定義される。適合周長力は、この試験の負荷がかかっていない（収縮）セグメント中の４７０ｍｍ伸長周長での力であると定義される。
【００８４】
５つのサンプルを分析し、その平均初期ゲージ周長、平均最大周長、平均伸長周長力及び平均適合周長力を計算し、それぞれ最も近い１ｍｍ又は０．０１Ｎ単位で報告する。
【００８５】
５．区域引張応力測定
本明細書の区域引張応力測定は、前側ベルト及び後側ベルトが環状弾性ベルトを形成し、内側シートと外側シートとの間に挟まれた弾性体の全てが、互いに実質的に平行な横断方向に延びる物品に関する。
【００８６】
引張応力（Ｎ／ｍ）は、張力（Ｎ）を試験片の長手方向長さ（ｍ）で割ることによって計算する。ＴｅｓｔＷｏｒｋｓ４Ｓｏｆｔｗａｒｅ（ＭＴＳ  ＳＹＳＴＥＭＳ社（ＭＴＳ  ＳＹＳＴＥＭＳ  ＣＯ．，ＬＴＤ）（中国）から入手可能）を実行するＭＴＳ  Ｃｒｉｔｅｒｉｏｎ  Ｃ４２などのコンピュータインターフェースを備えた電子応力試験機、又は同等の機器を使用して、力を測定する。試験される試料に対して得られる力が、ロードセルの能力の１０〜９０％になるように、ロードセルを選択する。機器は、メーカーの指示書に従って較正する。全ての試験は、２３±２℃、相対湿度５０±５％に維持された部屋で行う。機器は、少なくとも試験片と同じ幅を有する単線接触型グリップを装備している。
【００８７】
試験片を得るために、サイドシーム領域を除去することなく前側及び後側ベルトが互いに剥離するような様式で、両サイドシームで試料物品を開き、前側及び後側弾性ベルトが、腰部ベルトと中央シャーシの間の結合を分離することによって、中央シャーシ３８から除去される。ベルト部分にしわを作らないように留意して、コールドスプレーを使用してもよい。いずれのベルト状弾性体９６にもスプレーをかけないように留意する。得られた弾性ベルト４０を、弾性体９６を切断しないように留意して、上に定義した区域１０２、１０４、１０６、１０８に分ける。サンプルを、２３±２℃、相対湿度５０±５％で試験前に２時間、あらかじめ調整する。一般的な金属定規による各試験片の長手方向長さを、最も近い１ｍｍ単位で測定する。長手方向長さとは、図４の寸法１０２、１０４、１０６又は１０８を意味する。
【００８８】
機器は、以下の工程をこなすように設定される。初期基準長を、上述したように、別個の同一の物品を使用して物品全体力試験中に決定される初期基準周長から計算する。初期ゲージ長は、初期ゲージ周長の５０％であると定義される。最終ゲージ長を、上述したように、物品全体力試験中に決定される最大周長から計算する。
【００８９】
【表４】
0006949977.tif 000007
【００９０】
試験片の一端を、サイドシーム領域を用いて上側クランプに挟み、負荷の重量を差し引く。試験片の他端を、これもサイドシーム領域を用いて下側クランプに挟み、サイドシーム領域のみがグリップの接触線の後ろにあるようにする。試験を開始し、クロスヘッド速度２５４ｍｍ／分で、試験片を最終ゲージ長まで伸ばし、次いで、すぐに同じ速度で初期ゲージ長まで戻す。試験中、試験片は物品横断方向に延伸させる。試験の負荷解除セグメント中に最終基準長の７０％になったときの負荷解除力を記録する。
【００９１】
５つの物品を分析し、前側及び後側区域１０２、１０４、１０６、１０８のそれぞれに対して負荷解除力を記録する。その領域の前側及び後側の試験片を含む各区域に対して、平均張力（Ｎ）を計算し、０．０１Ｎ単位の概数にする。各区域の引張応力を、平均張力（Ｎ）を平均長手方向長さ（ｍ）で割り算することによって計算し、最も近い０．１Ｎ／ｍの単位で報告する。
【００９２】
６．ベルトシーム形状測定法
本明細書のベルトシーム形状測定は、前側ベルト及び後側ベルトが環状弾性ベルトを形成し、内側シートと外側シートとの間に挟まれた弾性体の全てが、互いに実質的に平行な横断方向に延びる物品に関する。
【００９３】
試料物品からのベルト試料と、試料の大きさに従って試料を支えるボード（本明細書で以下「ストレッチボード」）を準備する。
【００９４】
ベルト試料は、腰部ベルトと中央シャーシとの間の結合を分離することによって、物品の中央シャーシ３８から腰部ベルト４０を除去することによって調製される。ベルト部分にしわを作らないように留意して、コールドスプレーを使用してもよい。いずれのベルト弾性体９６にもスプレーをかけないように留意する。サンプルのシーム長さＬＳ（図４参照、例えば、ＬＳはＬＦに等しい）を、ベルトを平らにして張力をかけずに、±１ｍｍ以内まで測定する。
【００９５】
上述したように、最大周長が、同一物品の別個の物品を使用する物品全体力試験中に決定される。最大伸張幅は、最大周長の５０％であると定義される。
【００９６】
図９を参照すると、ストレッチボード１８０は、ポリメタクリル酸メチル、ポリカーボネート、又は同様の剛性材料から作られ、以下の寸法を有する。
【００９７】
【表５】
0006949977.tif 000008
【００９８】
例えば、ベルトのサイドシーム長さＬＳが１３０ｍｍであれば、ストレッチボードの長さは１７０〜２３０ｍｍとすべきである。試験片の最大伸張幅が３５５ｍｍであり、ボード厚さが８．５ｍｍである場合、ボード幅は２４０ｍｍとすべきである。
【００９９】
図１０に示されるように、試験片をボードに挿入するためにできる限り小さく伸ばしつつ、シーム３２の全長がストレッチボード１８０の前側及び後側面に（側面ではなく）置かれる様式で、ストレッチボード１８０を試験片に挿入する。ストレッチボード１８０の１つの側部と他の側部上のそれぞれのシーム３２の遠位縁部８８（すなわち腰部開口部の）、並びに、ストレッチボード１８０の１つの側部と他の側部のそれぞれのシーム３２の近位縁部（すなわち脚部開口部の）が、それぞれ同一長手方向軸線の±５ｍｍ以内に整列されるように、試験片がストレッチボード１８０上で調整される。
【０１００】
次いで、ストレッチボード１８０が挿入された試験片を、２５±２℃、相対湿度５０±１０％の環境で平衡状態に達するように１分間放置する。図１０を参照すると、この伸張した状態（ＬＳＳ）で、直線の端から端までのサイドシーム長（輪郭長さではない）を測定する。横断方向に腰部開口部からＬＳＳの７０％離れた点（７０％点）と、長手方向に腰部開口部からＬＳＳの２５％離れた点（２５％点）でのシーム３２の位置を測定し、差「ｄ」（単位：ｍｍ）を得る。７０％点が、２５％点に比べてベルトの前側長手方向中心線のより近くに位置していれば、ｄ値は正である。２５％点が、７０％点に比べてベルトの前側長手方向中心線のより近くに位置していれば、ｄ値は負である。ストレッチボード１８０の両方の側部上の両シーム３２に対してｄ値を得る。５つのサンプルの「ｄ」値を測定し、平均ｄ値（１０値の平均）をほぼ１ｍｍ単位で報告する。
【０１０１】
７．走査型電子顕微鏡（ＳＥＭ）及びフーリエ変換赤外線分光法（ＦＴＩＲ）試験
７−１．試料の調製
不織布原料サンプルを得るために、技術面側を上にして材料をベンチ上に平らに置き、２０ｍｍ（機械方向に沿って）×２０ｍｍ（機械方向に垂直な方向で）の四角形形状のサンプルをはさみを用いて切断する。技術面の側は、外側シート９２又は外側カバー層４２のための衣類に面する表面、内側シート９４の身体に面する表面として使用することを意図した表面である。
【０１０２】
最終物品からサンプルを得るために、「Ｑｕｉｋ−Ｆｒｅｅｚｅ（登録商標）」型コールドスプレーを適用する、又は不織布組成物の特性を永久的に変えてしまわない他の適切な方法などの技術によって、外側シート９２及び内側シート９４を他の構成要素（例えば、ベルト積層不織布層、又はバックシートフィルム）から分離する。技術面の側は、外側シート９２又は外側カバー層４２のための衣類に面する表面として使用する表面である。ベルト弾性領域の弾性が不活性化される領域が好ましい。２０ｍｍ×２０ｍｍの正方形の形状を、サンプルを得るためにはさみを用いて切り出す。２０ｍｍ×２０ｍｍより小さい弾性ベルト領域内に非活性化領域を有する物品については、２０ｍｍ×２０ｍｍの正方形の形状をはさみを用いて切り出し、弾性体は、「Ｑｕｉｋ−Ｆｒｅｅｚｅ（登録商標）」型コールドスプレーを適用する、又は不織布組成物の特性を永久的に変えてしまわない他の適切な方法などの技術によって、サンプルから分離される。５つのサンプルは、測定のために同じパッケージから最終製品の同じ部分から切断される。
【０１０３】
７−２．走査型電子顕微鏡（ＳＥＭ）
走査型電子顕微鏡画像は、Ｈｉｔａｃｈｉ  ３Ｄ−ｖｉｅｗｅｒソフトウェアを実行するＨｉｔａｃｈｉ  ＴＭ３０００  Ｂｅｎｃｈ−ｔｏｐ  ＳＥＭ、又は同等の計器を用いて撮影される。２０ｍｍ×２０ｍｍのサンプルを液体窒素中に沈め、縁部をかみそり刃（ステンレス鋼コーティング、単一縁部工業用ブレード、６２−０１６５）で破砕する。破砕されたサンプルを、両面Ｃｕテープを使用してＳＥＭマウントに接着する。サンプルは、スパッタＡｕコーティングされ、ＳＥＭで見られる。ＳＥＭ画像は、上面図及びＸ断面図から取得される。繊維直径及び幅の測定は、ＳＥＭ操作ソフトウェアの手動線ツールを使用して行われる。
【０１０４】
７−３．フーリエ変換赤外線分光法（ＦＴＩＲ）
上記のＳＥＭ画像に基づいて、材料の構造が観察される。単成分繊維から作製されたサンプルについては、全ての測定は、以下の条件下でＦＴＩＲ−ＡＴＲによって行われる。サンプルの小片（ＡＴＲ結晶を覆うのに十分な）は、測定を行うのに十分である。ＡＴＲ加圧アームを使用して、サンプルの上部に適切かつ一貫した圧力を加える。
【０１０５】
【表６】
0006949977.tif 000009
【０１０６】
混合繊維、又はシース−コア、サイドバイサイド構造などの多成分繊維から作製されたサンプルについては、混合繊維中の各種類の繊維又は多成分繊維の各別個の部分を理解することを目的として、いくつかの繊維は、ステレオスコープ下で各サンプルから分離され、以下の条件下でＭｉｃｒｏ−ＩＲによって測定されるダイヤモンドセルによって絞り出される。材料同定は、ＫｎｏｗＩｔＡｌｌ情報システム、又は他の参照スペクトルライブラリを使用して実施される。
【０１０７】
【表７】
0006949977.tif 000010
【実施例】
【０１０８】
パンツ型着用可能物品の構造を有する実施例１及び実施例Ａ〜Ｇが得られ、上述のように測定を行う。
【０１０９】
実施例１：図２、図４の構成と、以下の表１の弾性プロファイルを有するサイズ４のベルト型パンツ物品。外側シートと外側カバー層は、Ｄａｙｕａｎ（中国、北京）から入手可能な商標名ＦＪ２０６（直径が１５μｍのＰＥ／ＰＥＴバイコンポーネント繊維を含む２０ｇｓｍエアスルーカーディング不織布）によって作られ、内側シートは、Ｆｉｂｅｒｔｅｘから入手可能な商標名ＨＹ１５０１５−ＭＡＬＡＹＳＩＡ−Ｖ２（１５ｇｓｍ  ＰＰスパンボンド不織布）から作られる。
【０１１０】
実施例Ａ：実施例１と同じ構成を有する、サイズ４のベルト型パンツ物品の外側シートが、Ｆｉｂｅｒｔｅｘから入手可能なデュアル１７ｇｓｍ  ＰＥ／ＰＰバイコンポーネントスパンボンド不織布によって作られ、外側カバー層が、Ｐｅｇａｓから入手可能な、溶融添加剤を含む２５ｇｓｍ  ＰＰスパンボンド不織布によって作られる。
【０１１１】
実施例Ｂ：ロット番号２０１６０４０４Ｕ０７１０９５６を有する、２０１６年１０月から１２月に日本で購入した商標名「Ｍｅｒｒｉｅｓ  Ｐａｎｔｓ」によって販売されるサイズ４の一体型パンツ物品。
【０１１２】
実施例Ｃ：ロット番号２０１５０１２４ＥＯＣ３０２４５を有する、２０１５年１０月から１２月に中国で購入した商標名「Ｍｅｒｒｉｅｓ  Ｐａｎｔｓ」によって販売されるサイズ４の一体型パンツ物品。
【０１１３】
実施例Ｄ：ロット番号ＷＰ０１４５１３６０３６４２を有する、２０１５年１０月から１２月に中国で購入した商標名「Ａｎｅｒｌｅ  Ｇｏｌｄ  Ｐａｎｔｓ」によって販売されるサイズ４のベルト型パンツ物品。
【０１１４】
実施例Ｅ：ロット番号２０１６０６１４ＣＡ１１４４００５１９，２７を有する、２０１６年１０月から１２月に中国で購入した商標名「ＧｏｏＮ  Ｐｒｅｍｉｕｍ  Ｐａｎｔｓ」によって販売されるサイズ４の一体型パンツ物品。
【０１１５】
実施例Ｆ：ロット番号２０１６０９１２  ＮＤ３３  Ｂを有する、２０１６年１０月から１２月に中国で購入した商標名「Ｈｕｇｇｉｅｓ  Ｐｌａｔｉｎｕｍ  Ｐａｎｔｓ」によって販売されるサイズ４の一体型パンツ物品。
【０１１６】
実施例Ｇ：ロット番号２０１５０７２４３１０２を有する、２０１５年１０月から１２月に中国で購入した商標名「Ｍｏｏｎｙ  Ｐａｎｔｓ」によって販売されるサイズ４のベルト型パンツ物品。
【０１１７】
【表８】
0006949977.tif 000011
（＊１）表１の腹部カットとは、中央シャーシ３８と重なり合う弾性ストランドの中央領域の弾性の除去を指し、弾性の有効長さが６６％である。
【０１１８】
【表９】
0006949977.tif 000012
【０１１９】
消費者許容試験
１日に最低３枚のパッドを使用する頻度でサイズ４パンツ型おむつを使用し、「Ｍｅｒｒｉｅｓ」、「Ｈｕｇｇｉｅｓ  Ｇｏｌｄ」及び「Ｐａｍｐｅｒｓ」といった有名ブランドの複数の使用経験がある乳児の介護者である３０人の官能試験員を募集した。各官能試験員は、テーブルにまとめて９種類の試験製品を与えられた。９種類の試験製品の中に、実施例１、Ａ、Ｃ及びＤが含まれていた。官能試験員は、各質問について、テーブルの上の９種類の製品をスケール１〜１０にソートするように求められた。３０人の各官能試験員の評点を表３で報告するために平均した。（９種類の製品のうち、実施例１、Ａ、Ｃ及びＤを除いた残りは、上の実施例のリストには列挙されていないものであり、以下であった「Ｈｕｇｇｉｅｓ  Ｇｏｌｄ  Ｐａｎｔｓ」、「Ｈｕｇｇｉｅｓ  Ｓｉｌｖｅｒ  Ｐａｎｔｓ」、「Ｍａｍｍｙ  Ｐｏｋｏ  Ｐａｎｔｓ」、「Ａｎｅｒｌｅ  Ｓｉｌｖｅｒ  Ｐａｎｔｓ」及び「Ｇｏｏｎ  Ｐａｎｔｓ」。全て２０１５年１０月から１１月の間に中国で購入した。）
【０１２０】
【表１０】
0006949977.tif 000013
【０１２１】
本発明のパラメータ要件を満たす本発明の実施例１は、「全体的な嗜好」について高く受け入れられ、「下着様」及び「柔らかい」について最も高く受け入れられ、一方、本発明のパラメータ要件を満たしていない他の例は、少なくともいくつかの態様で、消費者の受け入れにおいて、わずかに悪いか、顕著に悪い。本発明のパラメータは、物品によって与えられる触感及び美的感覚という観点で、消費者の受け入れの良好な予測可能性を与える。
【０１２２】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示される寸法は、「約４０ｍｍ」を意味することが意図されている。更に、本明細書全体で与えられる全ての数値範囲は、このような広い数値範囲の中に含まれる全ての狭い数値範囲を含む。
【０１２３】
相互参照される又は関連特許若しくは出願のいずれをも含めた、本明細書に引用されている全ての文書は、明示的に除外される、又は特に限定されない限り、その全体が本明細書に参照により組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１２４】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
0006949977.tif 000014
【図２】
0006949977.tif 000015
【図３】
0006949977.tif 000016
【図４】
0006949977.tif 000017
【図５】
0006949977.tif 000018
【図６Ａ】
0006949977.tif 000019
【図６Ｂ】
0006949977.tif 000020
【図６Ｃ】
0006949977.tif 000021
【図６Ｄ】
0006949977.tif 000022
【図７】
0006949977.tif 000023
【図８】
0006949977.tif 000024
【図９】
0006949977.tif 000025